(57)【要約】  【課題】  回路基材に形成された電気回路を介して押圧板の接地を行うことで、生産工程の容易化や生産コストの低減を図ることができる画像読取装置およびそれを備えた複合機を提供する。  【解決手段】  原稿の読取時にＣＩＳに原稿を密着させるための押圧板１７に押圧力を与えるバネ３１は、リンク部３２、バネ３３とともに同一の導電性の材料から一体に形成された導電性部材である。操作パネルには電気回路が接地されたプリント配線基板２５が設けられており、その電気回路に接続する端子線２５ｄが、プリント配線基板２５上に設けられている。バネ３３はその端子線２５ｄに当接しており、押圧力をもって安定して端子線２５ｄとの接触状態を保っている。すなわち、押圧板１７は導電性部材を介してプリント配線基板２５の電気回路を通じて接地されており、原稿通過時の摩擦によって帯電しても、その除電を行うことができる。【選択図】  図４
2005080128.tif 000002
【特許請求の範囲】
【請求項１】
被読取媒体を搬送するための搬送路と、
前記搬送路の途中に設けられ、前記搬送路に沿って搬送される前記被読取媒体上に形成された画像の読み取りを行う画像読取部と、
前記画像読取部および前記搬送路を覆うカバー体と、
搬送される前記被搬送媒体を前記画像読取部に対して押圧するため、一端が揺動可能となるように他端が前記カバー体に支持された押圧部材と、
前記カバー体に設けられ、接地された電気回路が形成された回路基材と、
前記押圧部材と前記回路基材に形成された前記電気回路とを電気的に接続し、前記電気回路を介して前記押圧部材を接地するための導電性部材と
を備えたことを特徴とする画像読取装置。
【請求項２】
前記導電性部材は、前記電気回路と接続する部分に、弾性を有する第１弾性部材を備えたことを特徴とする請求項１に記載の画像読取装置。
【請求項３】
前記導電性部材は、前記押圧部材と接続する部分に、弾性を有する第２弾性部材を備え、
前記押圧部材が前記被読取媒体を押圧するための押圧力は、前記第２弾性部材によって付与されていることを特徴とする請求項１または２に記載の画像読取装置。
【請求項４】
前記導電性部材は、
前記電気回路と接続する部分に、弾性を有する第１弾性部材と、
前記押圧部材と接続する部分に、弾性を有する第２弾性部材と
を備え、
前記第２弾性部材は、前記第１弾性部材よりも強い弾性力を有するように構成されたことを特徴とする請求項１に記載の画像読取装置。
【請求項５】
前記導電性部材は、前記第１弾性部材と、前記第２弾性部材とを電気的に接続し、且つ、互いの位置決めを行うリンク部材を備えたことを特徴とする請求項４に記載の画像読取装置。
【請求項６】
前記第１弾性部材と、前記第２弾性部材と、前記リンク部材とは、同一の材料から一体に形成されていることを特徴とする請求項５に記載の画像読取装置。
【請求項７】
前記第１弾性部材と前記第２弾性部材とは巻きバネであって、前記第１弾性部材の径は、前記第２弾性部材の径よりも大きくなるように構成されたことを特徴とする請求項６に記載の画像読取装置。
【請求項８】
前記カバー体は、
前記第１弾性部材を保持する第１保持部と、
前記第２弾性部材を保持する第２保持部と
を備え、
前記第１保持部は前記第２弾性部材を、あるいは、前記第２保持部は前記第１弾性部材を保持不能であることを特徴とする請求項７に記載の画像読取装置。
【請求項９】
前記カバー体は、前記搬送路に対向しない側の面から押下可能なボタンを備え、
前記回路基材は、前記ボタンが押下された場合に、その押下状態を検出するための検出部を備えたことを特徴とする請求項１乃至８のいずれかに記載の画像読取装置。
【請求項１０】
前記回路基材は、
硬質な材料からなり、前記第１弾性部材が接触して前記押圧部材を接地するための接触部を有するプリント配線基板と、
そのプリント配線基板に接続され、前記プリント配線基板よりも軟質な材料からなり、前記検出部を有するフレキシブル配線基板と
を備えたことを特徴とする請求項９に記載の画像読取装置。
【請求項１１】
請求項１乃至１０のいずれかに記載の画像読取装置と、
前記画像読取装置で読み取った被読取媒体上の画像を、被記録媒体上に形成するための画像形成装置と
を備えたことを特徴とする複合機。
【発明の詳細な説明】
【技術分野】
【０００１】
本発明は、押圧板の除電を行うことができる画像読取装置およびそれを備えた複合機に関するものである。
【背景技術】
【０００２】
近年、画像読取装置、画像形成装置、ファクシミリ装置等を備えた複合機が普及している。このような複合機では、さらなる低価格化を図るため、使用部品点数を減らしたり、より低価格な部品を利用したりしている。そして、その低価格化を実現しつつも、従来の性能と同等、あるいはそれ以上の高性能化が図られている。
【０００３】
例えば、複合機に搭載された画像読取装置では、被読取媒体としての原稿の読み取りに高価なＣＣＤイメージセンサを利用せず、より低価格な密着型イメージセンサ（以下、「ＣＩＳ」という。）によって行っている。このＣＩＳは、ＣＣＤイメージセンサと比べて画像の読み取り深度が浅いため、ボケのない画像の読み取りを行うためには原稿をＣＩＳに密着させる必要がある。このため画像読取装置には、原稿が搬送される搬送路上に配置されたＣＩＳに対し、そのＣＩＳに向かって付勢する押圧板が設けられており、ＣＩＳ上を通過する原稿が押圧板によってＣＩＳに対して押さえつけられることで、ＣＩＳと原稿との密着が実現されている。
【０００４】
このような押圧板は、可動するための強度を保つため板金等により形成されており、ＣＩＳに対向する部分には、例えばポリカーボネートや塩化ビニル等からなる白地のシートが貼設されている。この白地のシートはＣＩＳの読み取り明度の基準として利用されるが、原稿の読み取り時には原稿に対して常に当接されるため、原稿との摩擦によって帯電されやすい。そこで、特許文献１では、可動する押圧板（原稿押圧手段）に対して白地アース圧縮バネによって常に接触した状態とし、その白地アース圧縮バネを接触させた板バネ等を介してグランド線に接続し、接地し、押圧板の除電を行っている。
【特許文献１】特開２００１−２１７９８８号公報
【発明の開示】
【発明が解決しようとする課題】
【０００５】
しかしながら、特許文献１では、押圧板の除電を行うための白地アース圧縮バネは複数の板バネ等を介してグランド線に接続され、また、それら板バネ等やグランド線はビス止めにより固定されており、さらに、グランド線は押圧板の除電のために設けられており、部品点数が多くなり生産工程の複雑化や生産コストの増加の原因となっていた。
【０００６】
本発明は上記課題を解決するためになされたものであり、回路基材に形成された電気回路を介して押圧板の接地を行うことで、生産工程の容易化や生産コストの低減を図ることができる画像読取装置およびそれを備えた複合機を提供することを目的とする。
【課題を解決するための手段】
【０００７】
上記目的を達成するために、請求項１に係る発明の画像読取装置は、被読取媒体を搬送するための搬送路と、前記搬送路の途中に設けられ、前記搬送路に沿って搬送される前記被読取媒体上に形成された画像の読み取りを行う画像読取部と、前記画像読取部および前記搬送路を覆うカバー体と、搬送される前記被搬送媒体を前記画像読取部に対して押圧するため、一端が揺動可能となるように他端が前記カバー体に支持された押圧部材と、前記カバー体に設けられ、接地された電気回路が形成された回路基材と、前記押圧部材と前記回路基材に形成された前記電気回路とを電気的に接続し、前記電気回路を介して前記押圧部材を接地するための導電性部材とを備えている。
【０００８】
また、請求項２に係る発明の画像読取装置は、請求項１に記載の発明の構成に加え、前記導電性部材は、前記電気回路と接続する部分に、弾性を有する第１弾性部材を備えている。
【０００９】
また、請求項３に係る発明の画像読取装置は、請求項１または２に記載の発明の構成に加え、前記導電性部材は、前記押圧部材と接続する部分に、弾性を有する第２弾性部材を備え、前記押圧部材が前記被読取媒体を押圧するための押圧力は、前記第２弾性部材によって付与されていることを特徴とする。
【００１０】
また、請求項４に係る発明の画像読取装置は、請求項１に記載の発明の構成に加え、前記導電性部材は、前記電気回路と接続する部分に、弾性を有する第１弾性部材と、前記押圧部材と接続する部分に、弾性を有する第２弾性部材とを備え、前記第２弾性部材は、前記第１弾性部材よりも強い弾性力を有するように構成されている。
【００１１】
また、請求項５に係る発明の画像読取装置は、請求項４に記載の発明の構成に加え、前記導電性部材は、前記第１弾性部材と、前記第２弾性部材とを電気的に接続し、且つ、互いの位置決めを行うリンク部材を備えている。
【００１２】
また、請求項６に係る発明の画像読取装置は、請求項５に記載の発明の構成に加え、前記第１弾性部材と、前記第２弾性部材と、前記リンク部材とは、同一の材料から一体に形成されていることを特徴とする。
【００１３】
また、請求項７に係る発明の画像読取装置は、請求項６に記載の発明の構成に加え、前記第１弾性部材と前記第２弾性部材とは巻きバネであって、前記第１弾性部材の径は、前記第２弾性部材の径よりも大きくなるように構成されている。
【００１４】
また、請求項８に係る発明の画像読取装置は、請求項７に記載の発明の構成に加え、前記カバー体は、前記第１弾性部材を保持する第１保持部と、前記第２弾性部材を保持する第２保持部とを備え、前記第１保持部は前記第２弾性部材を、あるいは、前記第２保持部は前記第１弾性部材を保持不能であることを特徴とする。
【００１５】
また、請求項９に係る発明の画像読取装置は、請求項１乃至８のいずれかに記載の発明の構成に加え、前記カバー体は、前記搬送路に対向しない側の面から押下可能なボタンを備え、前記回路基材は、前記ボタンが押下された場合に、その押下状態を検出するための検出部を備えている。
【００１６】
また、請求項１０に係る発明の画像読取装置は、請求項９に記載の発明の構成に加え、前記回路基材は、硬質な材料からなり、前記第１弾性部材が接触して前記押圧部材を接地するための接触部を有するプリント配線基板と、そのプリント配線基板に接続され、前記プリント配線基板よりも軟質な材料からなり、前記検出部を有するフレキシブル配線基板とを備えている。
【００１７】
また、請求項１１に係る発明の複合機は、請求項１乃至１０のいずれかに記載の画像読取装置と、前記画像読取装置で読み取った被読取媒体上の画像を、被記録媒体上に形成するための画像形成装置とを備えている。
【発明の効果】
【００１８】
請求項１に係る発明の画像読取装置では、押圧部材を回路基材の電気回路を介して接地することができるので、被読取媒体と摺擦することによって押圧部材が帯電しても、簡素な構成でその電荷を除去することができる。
【００１９】
また、請求項２に係る発明の画像読取装置では、請求項１に係る発明の効果に加え、導電性部材を回路基材の電気回路に対して第１弾性部材の弾性力によって接続することができるので、両者の接触状態を良好に保つことができ、安定した接続状態を維持することで押圧部材の除電を確実に行うことができる。
【００２０】
また、請求項３に係る発明の画像読取装置では、請求項１または２に係る発明の効果に加え、押圧部材の押圧力を付与するための第２弾性部材を、押圧部材の除電に兼用して利用することで、押圧部材の除電のための構成を省略でき、生産コストを削減することができる。
【００２１】
また、請求項４に係る発明の画像読取装置では、請求項１に係る発明の効果に加え、回路基材に当接する第１弾性部材の弾性力が第２弾性部材の弾性力よりも小さいので、回路基材に与える押圧力による負荷を軽減でき、回路基材の撓みを防止することができる。
【００２２】
また、請求項５に係る発明の画像読取装置では、請求項４に係る発明の効果に加え、第１弾性部材と第２弾性部材とを電気的に接続することができるので、第２弾性部材、リンク部材、第１弾性部材の順に介して回路基材の電気回路に押圧部材を電気的に接続することができ、除電のための部品構成を減らし、生産コストを削減することができる。
【００２３】
また、請求項６に係る発明の画像読取装置では、請求項５に係る発明の効果に加え、第１弾性部材とリンク部材と第２弾性部材とが一体に形成されているので、回路基材と押圧部材との電気的な接続を一部材で行うことができ、除電のための部品構成を減らし、生産コストを削減することができる。
【００２４】
また、請求項７に係る発明の画像読取装置では、請求項６に係る発明の効果に加え、第１弾性部材と第２弾性部材との径を異ならせることで、同一の材質からなる第１弾性部材および第２弾性部材の弾性力を容易に異ならせることができる。
【００２５】
また、請求項８に係る発明の画像読取装置では、請求項７に係る発明の効果に加え、導電性部材の組み立ての際に取り付け向きを間違えると取り付けできないので誤った向きでの取り付けは行われず、生産ロスを軽減し、生産コストを削減することができる。
【００２６】
また、請求項９に係る発明の画像読取装置では、請求項１乃至８のいずれかに係る発明の効果に加え、回路基材はカバー体に設けられたボタンの押下状態の検出を行うためのものであって、その電気回路の接地部分を利用して押圧部材の接地を行うことができる。
【００２７】
また、請求項１０に係る発明の画像読取装置では、請求項９に係る発明の効果に加え、回路基材の硬質な部分に第１弾性部材が接触しており、第１弾性部材によって押圧力が与えられても回路基材は撓みにくく、回路基材の破損を防止することができる。
【００２８】
また、請求項１１に係る発明の複合機では、請求項１乃至１０のいずれかに記載の画像読取装置を備えているので、生産工程の容易化や生産コストの低減を図った複合機を提供することができる。
【発明を実施するための最良の形態】
【００２９】
以下、本発明を具体化した画像読取装置およびそれを備えた複合機の一実施の形態について、複合機１を例に、図面を参照して説明する。まず、図１を参照して、複合機１の全体の構成について説明する。図１は、複合機１の中央断面図である。以下、図中、−Ｚ方向、＋Ｚ方向、＋Ｙ方向、−Ｙ方向、＋Ｘ方向、−Ｘ方向をそれぞれ、複合機１の前面方向、背面方向、上面方向、底面方向、右側面方向、左側面方向とする。
【００３０】
図１に示すように、複合機１は、断面視、上部に、被読取媒体上に形成された画像を読み取るための画像読取装置１０と、下部に、被記録媒体上に画像を形成するための画像形成装置５０とが配置された構成となっている。複合機１は、画像読取装置１０によるスキャナ機能、画像形成装置５０によるプリンタ機能、画像読取装置１０で読み取った原稿の画像を画像形成装置５０で用紙に印刷することによる複写機能を有している。また、複合機１は、図示外のファクシミリとしての機能が設けられており、画像読取装置１０で読み取った画像をＦＡＸデータとして公衆通信網を介して通信先の端末装置に送信するための公知のモデムやＮＣＵ等（図示外）が設けられている。そして、通信先の端末装置から受信するＦＡＸデータに基づく画像を、画像形成装置５０で印刷することができるようになっている。
【００３１】
画像形成装置５０は、いわゆる公知のレーザプリンタとして構成されている。画像形成装置５０は、略中央に、被記録媒体としての用紙に画像を形成するための画像形成ユニット５８が設けられている。そして、画像形成ユニット５８の下部には、用紙を積層保持する給紙カセット５１が配置され、画像形成ユニット５８の上部には、画像が形成された用紙が排出されて積層保持される排紙トレイ５２が設けられている。給紙カセット５１からピックアップされた用紙が、画像形成ユニット５８を通過して画像形成され、排紙トレイ５２へ排出されるように、画像形成装置５０の内部にはＳ字状の用紙の搬送路５３が設けられている（図中２点鎖線Ｓで、用紙の搬送経路を示す。）。
【００３２】
給紙カセット５１は、複合機１の底面部分に、複合機１の前面方向より着脱可能に装着される。給紙カセット５１に保持された用紙を搬送路５３へ送り出すため、複合機１の前面側で給紙カセット５１の上方には、給紙ローラ５４が設けられている。印刷時に、給紙ローラ５４は、用紙をピックアップして複合機１の前面方向へと送り出す。搬送路５３は給紙ローラ５４の近傍でＵターン状に形成されており、用紙は搬送路５３に案内され、その搬送方向が複合機１の背面へ向かう方向となる。
【００３３】
画像形成装置５０は、レーザ光を発生するためのレーザユニット５５と、レーザユニット５５から出射されるレーザ光に基づいてトナー等の現像剤による現像剤像を生成し、これを用紙上に転写するプロセスユニット５６と、プロセスユニット５６によって用紙上に形成された画像を用紙に定着させる定着ユニット５７とから構成されている。
【００３４】
レーザユニット５５は、印刷データに基づいて図示外のレーザ光発光部から出射されるレーザ光を、回転駆動するポリゴンミラー５５ａにより主走査方向（用紙の搬送方向と直交する方向）に走査させ、複数のレンズやミラーを透過あるいは反射させて、プロセスユニット５６の感光体ドラム５６ａの表面上に露光走査する。
【００３５】
プロセスユニット５６には、感光体ドラム５６ａ、現像ローラ５６ｂ、転写ローラ５６ｃ、帯電器５６ｄ等が設けられている。感光体ドラム５６ａは、その表面上にて電位差による不可視の静電潜像を形成するためのドラムである。回転方向上流に配置された帯電器５６ｄによって感光体ドラム５６ａの表面が高電位（例えば＋１０００Ｖ）に正帯電され、その表面上にレーザユニット５５からのレーザ光の照射を受ける。すると、レーザ光が照射された部分のみ表面電位が下がり（例えば＋１００Ｖ）、その結果、電位の高い部分と低い部分とによる静電潜像が形成される。
【００３６】
感光体ドラム５６ａのレーザ光が露光される位置より回転方向下流側に設けられた現像ローラ５６ｂは、静電潜像が形成された感光体ドラム５６ａに、トナーボックス５６ｅに収容された正帯電性のトナーを帯電して供給するためのローラである。現像ローラ５６ｂは、感光体ドラム５６ａの表面上の高い電位と低い電位との間の電位（例えば＋４００Ｖ）となるようにトナーを帯電する。現像ローラ５６ｂに担持されたトナーは、現像ローラ５６ｂと感光体ドラム５６ａとが近接する位置で、感光体ドラム５６ａの電位の低い部分に選択的に転写される。
【００３７】
転写ローラ５６ｃは、現像ローラ５６ｂよりもさらに感光体ドラム５６ａの回転方向下流側の位置にて設けられており、感光体ドラム５６ａとのニップ部が搬送路５３上に配置され、この位置を用紙が通過するように構成されている。転写ローラ５６ｃには、その電位が感光体ドラム５６ａの電位の低い部分よりもさらに低い電位（例えば−２００Ｖ）となるように、バイアスが印加されている。これにより、感光体ドラム５６ａの表面上に形成された現像剤像が、感光体ドラム５６ａと転写ローラ５６ｃとのニップ部を通過する用紙の裏側から転写ローラ５６ｃによって静電吸引され、用紙の表面上に転写される。
【００３８】
定着ユニット５７は、トナーの載った用紙に約２００度の熱を与えてトナーを溶融あるいは軟化させる加熱ローラ５７ａと、その加熱ローラ５７ａに対して押圧するように付勢された加圧ローラ５７ｂとから構成されている。加熱ローラ５７ａと加圧ローラ５７ｂとのニップ部は用紙の搬送路５３上に配置され、そのニップ部を通過する際に、用紙上のトナーが加熱加圧されることによって用紙に定着する。
【００３９】
搬送路５３は、画像形成ユニット５８を通過した位置でＵターン状に形成され、画像形成ユニット５８の上部に配置された排紙トレイ５２へ用紙を案内する。画像形成ユニット５８を、複合機１の前面から背面へ向かう方向に搬送された用紙は、この搬送路５３に案内されて、その搬送方向が複合機１の前面へ向かう方向となって排紙トレイ５２に排出される。搬送路５３の末端には一対の排紙ローラ５９が設けられており、この排紙ローラ５９によって、用紙は排紙トレイ５２上へと送り出される。
【００４０】
画像読取装置１０の内部には、複合機１の背面から前面へ向かう方向へ、被読取媒体としての原稿を搬送する搬送路１３が設けられている（図中２点鎖線Ｍで、原稿の搬送経路を示す。）。搬送路１３の底面１３ｂには、原稿に向けて図示外の光源から発せられた光の反射光の光強度を読み取ってデジタルデータ化するＣＩＳ１４が配設されている。搬送路１３の搬送方向の先端には、原稿を積層保持して搬送路１３へ供給するための原稿トレイ１１が設けられており、また、末端には、画像の読み取りがなされ、搬送路１３から排出される原稿を積層保持する排紙トレイ１２が設けられている。なお、ＣＩＳ１４が、本発明における「画像読取部」に相当する。
【００４１】
搬送路１３の先端には供給ローラ１６が設けられており、原稿トレイ１１に保持された原稿は、供給ローラ１６にピックアップされて搬送路１３へ送り出される。また、ＣＩＳ１４上には押圧板１７が設けられ、ＣＩＳ１４に向かって付勢されている。原稿がＣＩＳ１４の上方を通過する際にこの押圧板１７によってＣＩＳ１４に密着されることにより、読み取り深度の浅いＣＩＳ１４で、安定してボケのない画像の読み取りを行うことができるようになっている。この押圧板１７の詳細については後述する。そして、搬送路１３の末端には一対の排紙ローラ１８が設けられており、原稿が排紙トレイ１２上に排出される。なお、押圧板１７が、本発明における「押圧部材」に相当する。
【００４２】
また、画像読取装置１０の上部には、複合機１の操作を行うための操作パネル１５が設けられている。操作パネル１５は、搬送路１３の上面のカバーとして搬送路１３を覆っており、原稿の搬送の障害が発生したときなどには後端を回動中心にして手前側を開放し、搬送路１３を露出させることができるようになっている。操作パネル１５には利用者が複合機１の動作を指示するための複数のキー１５ａと、利用者にメニューやメッセージ等を表示するためのＬＣＤ１５ｂとが設けられている。なお、操作パネル１５が、本発明における「カバー体」に相当する。また、キー１５ａが、本発明における「ボタン」に相当する。
【００４３】
次に、図２〜図４を参照して、操作パネル１５の内部の構造について説明する。図２は、操作パネル１５の内部構造を示す分解斜視図である。図３は、バネ３１とそれを保持する保持部２７の斜視図である。図４は、プリント配線基板２５の電気回路を介して接地する押圧板１７の接地のための接続を示す図である。
【００４４】
図２に示すように、操作パネル１５を取り外して複合機１の底面側から見た場合、搬送路１３の上面１３ａが露出される。この搬送路１３の上面１３ａを構成する中板２２は、操作パネル１５にビス等で固定されている。この中板２２と操作パネル１５との間には、操作パネル１５の複数のキー１５ａの入力を検出するためのフレキシブル配線基板２３およびプリント配線基板２５と、ＬＣＤ１５ｂを駆動させるための表示回路基板２４と、それら各基板と複合機１の本体に内蔵された制御基板（図示外）とを接続するための配線のコネクタ２６ａが設けられた中継基板２６とが設けられている。
【００４５】
複数のキー１５ａはそれぞれ、操作パネル１５の操作面に対して直交する方向に、操作パネル１５の外側から押圧可能となるように設けられている。各キー１５ａの先端には、操作パネル１５の内部に設けられたフレキシブル配線基板２３に当接して、押圧された各キー１５ａを押圧前の位置に戻す付勢力を各キー１５ａに与えるゴム製のキャップ（図示外）が設けられており、そのキャップの内側に、導電性のチップ（図示外）がそれぞれ設けられている。フレキシブル配線基板２３上には、各キー１５ａのチップにそれぞれ対応する一対の端子２３ａが設けられており、チップの接触によって一対の端子２３ａがそれぞれ導通されて、各キー１５ａの入力の検出が行われる。フレキシブル配線基板２３は絶縁体からなるフィルム上に電気回路がプリントされた可撓性の配線基板であり、各キー１５ａの入力を確実に行うため、中板２２のフレキシブル配線基板２３の各端子２３ａがそれぞれ対応する位置には台座が設けられており、各キー１５ａの押圧に伴うフレキシブル配線基板２３の撓みを防止している。なお、端子２３ａが、本発明における「検出部」に相当する。
【００４６】
プリント配線基板２５は、フレキシブル配線基板２３によって導通された端子がどのキー１５ａに対応するかを検出するための電気回路を有する配線基板である。フレキシブル配線基板２３とは異なり、硬質の基材上に電気回路がプリントされた配線基板として構成されている。端部に設けられたコネクタ２５ａに、フレキシブル配線基板２３が接続されている。なお、プリント配線基板２５とフレキシブル配線基板２３とが、本発明における「回路基材」に相当する。
【００４７】
表示回路基板２４は、ＬＣＤ１５ｂへの表示の制御を行うための基板である。基板上にＬＣＤ１５ｂが固定されており、操作パネル１５の外側にＬＣＤ１５ｂの表示面が露出されるように、操作パネル１５の内部に固定される。プリント配線基板２５の端部に設けられたコネクタ２５ｂに、表示回路基板２４が接続されている。
【００４８】
中継基板２６は、操作パネル１５の後端の角部にて、複合機１の制御基板（図示外）と接続するためのコネクタ２６ａを固定するための基板である。中継基板２６からの導線はプリント配線基板２５のコネクタ２５ｃに接続されており、中継基板２６は、操作パネル１５の各キー１５ａの入力信号を制御基板に伝達し、また、ＬＣＤ１５ｂへ表示制御信号を伝達するための信号の中継を行う。中板２２には、制御基板から配線され、コネクタ２６ａに接続する導線を通すための配線孔２２ａが孔設されている。
【００４９】
中板２２の一方の面は、前述したように、搬送路１３の上面１３ａとして構成されている。この上面１３ａには、押圧板１７を固定するための板状の固定板３５，３６が突設されている。固定板３５，３６は、上面１３ａの略中央で支持される押圧板１７を、原稿の搬送方向に対して上面１３ａの面方向にて直交する方向（Ｘ軸方向）から支持するように、一対に設けられている。その板面方向は、上面１３ａに略直交し、かつ、原稿の搬送方向に沿う方向となっており、また、その搬送方向に、固定板３５，３６は長手方向を有している。
【００５０】
固定板３５，３６は、それぞれ搬送方向の上流側の端部において、互いに向き合う方向にボス３５ａ，３６ａが突設されており、押圧板１７の側面に孔設された支持孔１７ａ，１７ｂと係合し、押圧板１７を支持する。押圧板１７は、搬送方向と直交する方向に長手方向を有する板体の短手方向の一端寄りの端部が鈍角に屈曲された板面１７ｄと、それよりも縁端に近い位置で、再度、その屈曲方向に直角に屈曲された板面１７ｅと、さらに、最も縁端に近い端部にて、今度は逆方向に直角に折り曲げられた板面１７ｆとを有する（図４参照）。そして、短手方向の他端寄りの板面１７ｃは、その他端より前記一端に向かって大きく切除されており、板面１７ｃはコの字形状を有している。そのコの字状の板面１７ｃの長手方向における両端は、板面１７ｄと同方向に向かって直角に折り曲げられた板面１７ｇ，１７ｈとして構成され、支持孔１７ａ，１７ｂは、板面１７ｃの短手方向の他端寄りとなる板面１７ｇ，１７ｈの端部にそれぞれ孔設されている。
【００５１】
この押圧板１７の支持孔１７ａ，１７ｂがそれぞれ固定板３５，３６のボス３５ａ，３６ａに係合された場合に、板面１７ｄがＣＩＳ１４に対して接離されるように、押圧板１７が揺動可能に支持される。そして、押圧板１７がＣＩＳ１４に対して押圧状態を保つことができるように、押圧板１７の板面１７ｄと中板２２の上面１３ａとの間には、バネ３１が設けられている。バネ３１は、板面１７ｄの長手方向の略中央に当接するように設けられており、押圧板１７に対して、原稿の搬送方向と直交する方向に対して均等に押圧力が与えられるようになっている。
【００５２】
このバネ３１は巻きバネであり、図３に示すように、中板２２には、バネ３１を位置決めするための保持部２７が設けられている。保持部２７は２枚の板が十字に噛み合わされた形状を有し、その十字の合わせ部分がバネ３１の巻きの中心にくるようにしてバネ３１を被せて保持することができるように、保持部２７には４つの切欠２７ａが設けられている。切欠２７ａは、バネ３１を保持した際に、バネ３１の外周と内周とのそれぞれを挟むようにして当接するようになっており、大きさの異なるバネを保持することができない。なお、保持部２７が、本発明における「第２保持部」に相当する。
【００５３】
図２に示すように、保持部２７に保持される側のバネ３１の一端は延長され、保持部２７の近傍に設けられた貫通孔２２ｂを介して、中板２２の上面１３ａとは反対側の面２２ｃ（図４参照）に向けて延設されている。図４に示すように、バネ３１から延長された部分であるリンク部３２は、中板２２の貫通孔２２ｂを通って中板２２の面２２ｃ上に達している。そこを基部として、バネ３１とは反対の方向に延びるもう一つのバネ３３が形成されている。このバネ３１、リンク部３２、およびバネ３３は、導電性を有する一本の鋼線から加工され形成されている。なお、バネ３１、リンク部３２、およびバネ３３が、本発明における「導電性部材」に相当する。そして、バネ３３、バネ３１が、本発明における「第１弾性部材」、「第２弾性部材」に相当し、リンク部３２が、本発明における「リンク部材」に相当する。
【００５４】
バネ３３は、中板２２の面２２ｃ上に設けられた、保持部２７と同様の構造を有する保持部２８によって保持される。バネ３３は、バネ３１よりもその外径が大きく構成されており、また、伸縮方向における長さがバネ３１より短くなるように構成されている。保持部２８の切欠２８ａは、このバネ３３を保持するため、前記同様、バネ３３の内周と外周とのそれぞれを挟むように設けられている。このため、バネ３３とは外径の異なるバネ３１を保持部２８に保持させることはできない。また、バネ３３を保持部２７に保持させることも、不可能となっている。これは、切欠２８ａが、バネ３３の外周に当接する部分で、バネ３３より外径の大きな巻きバネが嵌らないようにし、内周に当接する部分でバネ３３より外径の小さな巻きバネが嵌らないようにすることができるからである。保持部２７についても同様である。これにより、複合機１の生産工程において、バネ３１，リンク部３２，バネ３３からなる導電性部材の取り付け向きを間違えにくい。なお、保持部２８が、本発明における「第１保持部」に相当する。
【００５５】
また、バネ３３の伸縮方向における弾性力は、外径や長さの異なるバネ３１と比べて小さい。このバネ３３が保持部２８に保持された状態で中板２２が操作パネル１５に固定されたときに、バネ３３の先端は、プリント配線基板２５に当接するようになっている。プリント配線基板２５上のバネ３３が当接する位置には、電気回路に電気的に接続する端子線２５ｄが設けられている（図２参照）。バネ３１が押圧板１７に当接して押圧力を与える必要があるのに対し、バネ３３は端子線２５ｄを介してプリント配線基板２５の電気回路と電気的に接続した状態を維持するための弾性力があれば十分である。また、その弾性力は、プリント配線基板２５を撓めるほどの押圧力ではないほうが好ましい。このため、バネ３３は、バネ３１に対してその外径の大きさや長さを異ならせ、バネ３１より弾性力が小さくなるように構成されている。なお、端子線２５ｄが、本発明における「接触部」に相当する。
【００５６】
このような構成によって、押圧板１７は、バネ３１，リンク部３２，バネ３３を介してプリント配線基板２５の電気回路と電気的に接続されるようになる。前述したが、複合機１の画像読取装置１０に使用されているＣＩＳ１４はその読み取り深度が浅いため、ＣＩＳ１４の読み取り位置（搬送路１３に面する部分）に原稿を密着させて読み取りを行わなければならない。しかし、原稿をＣＩＳ１４に密着させるための押圧板１７は、読み取り時に原稿が押圧板１７に対して常に摺擦することとなるため、原稿との摩擦によって帯電してしまう。
【００５７】
プリント配線基板２５の電気回路は、中継基板２６を介して複合機１のフレーム（図示外）に電気的に接続されている。フレームは接地されており、これにより、プリント配線基板２５の電気回路は、電位が接地電位となる回路部分を有する。端子線２５ｄは、その回路部分に接続されており、すなわち接地されている。このため、バネ３１，リンク部３２，バネ３３を介して端子線２５ｄと接続される押圧板１７も接地される。したがって、原稿との摩擦によって発生した電荷は、押圧板１７には溜められずに除去される。これにより、ＣＩＳ１４と押圧板１７との間を通過する原稿に、静電気による搬送の障害などの不具合が発生することはない。
【００５８】
以上説明したように、複合機１では、原稿との摩擦によって帯電する押圧板１７を、その押圧板１７に押圧力を与える導電性のバネ３１を介して除電する。中板２２の保持部２７に保持されたバネ３１は、その保持された側の一端がリンク部３２および中板２２の貫通孔２２ｂを介して反対側の面２２ｃにまで延設されており、その延設された端部にバネ３３が形成されている。バネ３３は、プリント配線基板２５の端子線２５ｄに当接しており、この端子線２５ｄがプリント配線基板２５の電気回路を通して接地されているので、押圧板１７は、バネ３１，リンク部３２，バネ３３を介してプリント配線基板２５に接地のため接続されている。このように、押圧板１７の接地を一部品で行い、また、すでに接地のための回路部分が設けられたプリント配線基板２５を介して接地することで、接地のための部品を新たに設けなくともよい。また、バネ３１を中板２２上に保持する保持部２７と、バネ３３を保持する保持部２８とは、外径の大きさが互いに異なるバネ３１とバネ３３とを入れ替えて保持することができないので、生産工程において取り付け向きを間違えにくい。
【００５９】
なお、本発明は各種の変形が可能なことはいうまでもない。例えば、バネ３１，リンク部３２，バネ３３からなる導電性部材は鋼線としたが、導電性を有し、強靱で弾性に富む素材から形成されていればよい。また、導電性部材は、バネ３１と、リンク部３２と、バネ３３とを別々に形成後に組み合わせた１つの部品としてもよい。いずれの場合においてもリンク部３２は、バネ３１とバネ３３とを位置決めできるだけの強度を有すれば、中板２２への導電性部材の取り付け時に、一方の巻きバネを保持部に取り付けると他方の巻きバネもしかるべき保持部の位置に配置されるために取り付けを容易とすることができる。
【００６０】
また、バネ３１とバネ３３との外径の大きさを異ならせて保持部２７，２８への取り付け間違いの防止を行ったが、例えばバネ３１から延設されたリンク部３２がバネ３１の巻きの中心位置を通るようにして、また、保持部２７は、そのリンク部３２が干渉しないように、バネ３１を保持したときのリンク部３２の通過位置を切り欠き状に設けるようにしてもよい。このようにすれば、バネ３１とバネ３３との外径が同じ大きさだったとしても、リンク部３２が通過するための切り欠きを設けていない保持部２８にはバネ３１を取り付けることはできないため、取り付け間違いを防止することができる。
【００６１】
また、プリント配線基板２５設けた端子線２５ｄにバネ３３が当接するようにしたが、フレキシブル配線基板２３にバネ３３を当接させるようにしてもよい。この場合、フレキシブル配線基板２３にバネ３３が当接する側と反対側の位置にはフレキシブル配線基板２３が撓められないようにするための台座等を設けるようにすればよい。
【００６２】
また、本実施の形態では、複合機１を例として説明したが、ファクシミリ機能を有しない複写機においても、本実施の形態の画像読取装置の構成を好適に実施することができる。また、画像形成装置５０は、公知のインクジェットプリンタであってもよい。
【産業上の利用可能性】
【００６３】
画像読取装置、または画像読取装置を備えた複写機、ファクシミリ、あるいはそれらの複合機に適用できる。
【図面の簡単な説明】
【００６４】
【図１】複合機１の中央断面図である。
【図２】操作パネル１５の内部構造を示す分解斜視図である。
【図３】バネ３１とそれを保持する保持部２７の斜視図である。
【図４】プリント配線基板２５の電気回路を介して接地する押圧板１７の接地のための接続を示す図である。
【符号の説明】
【００６５】
１    複合機
１３    搬送路
１４    ＣＩＳ
１５    操作パネル
１５ａ  キー
１７    押圧板
２３    フレキシブル配線基板
２３ａ  端子
２５    プリント配線基板
２５ａ  コネクタ
２７，２８  保持部
３１，３３  バネ
３２    リンク部
５０    画像形成装置
【図１】
2005080128.tif 000003
【図２】
2005080128.tif 000004
【図３】
2005080128.tif 000005
【図４】
2005080128.tif 000006